(57)【要約】【課題】再生中の曲から次に再生を行う曲への移行時に、待ち時間のないスムーズな再生が可能な圧縮オーディオデータ再生装置を提供する。【解決手段】圧縮オーディオデータ再生装置は、半導体メモリ１４のメモリ領域を、再生中の曲用並びに次に再生を行う曲用に分割し、分割したメモリ領域に、再生中の曲の圧縮オーディオデータ並びに次に再生を行う曲の圧縮オーディオデータをそれぞれ書き込むための書き込み制御手段１１と、次の曲の再生要求が発生した場合に、前記次に再生を行う曲用のメモリ領域から、前記次に再生を行う曲の圧縮オーディオデータを即座に読み出すための読み出し制御手段１１と、を備える。【選択図】　　　図１
2004127465.tif 000002
【特許請求の範囲】
【請求項１】
複数の圧縮オーディオデータが記録されたディスクから読み出した該圧縮オーディオデータを格納するための半導体メモリを備え、前記半導体メモリから前記圧縮オーディオデータを読み出してオーディオの再生を行う圧縮オーディオデータ再生装置において、
前記半導体メモリのメモリ領域を、再生中の曲用並びに次に再生を行う曲用に分割し、分割したメモリ領域に、再生中の曲の圧縮オーディオデータ並びに次に再生を行う曲の圧縮オーディオデータをそれぞれ書き込むための書き込み制御手段と、
次の曲の再生要求が発生した場合に、前記次に再生を行う曲用のメモリ領域から、前記次に再生を行う曲の圧縮オーディオデータを即座に読み出すための読み出し制御手段と、
を備えることを特徴とする圧縮オーディオデータ再生装置。
【請求項２】
前記分割したメモリ領域への圧縮オーディオデータの書き込みは、初めに前記再生中の曲の圧縮オーディオデータを一定分量書き込み、その後、前記次に再生を行う曲の圧縮オーディオデータを曲の先頭から所定の分量だけ書き込むことを特徴とする請求項１に記載の圧縮オーディオデータ再生装置。
【請求項３】
前記次の曲の再生要求は、再生中に操作者が次の曲の再生指示を行う場合と、操作者が予め登録した曲を自動的に再生するプログラム再生モードにおいて次の曲に移行する場合と、曲の先頭から一定時間のみの再生を繰り返すイントロ再生モードにおいて次の曲のイントロ再生に移行する場合と、に実行されることを特徴とする請求項１または２に記載の圧縮オーディオデータ再生装置。
【請求項４】
複数の圧縮オーディオデータが記録されたディスクから読み出した該圧縮オーディオデータを格納するための半導体メモリを備え、前記半導体メモリから前記圧縮オーディオデータを読み出してオーディオの再生を行う圧縮オーディオデータ再生装置の曲移行制御方法であって、
前記半導体メモリのメモリ領域を、再生中の曲用並びに次に再生を行う曲用に分割し、分割したメモリ領域に、再生中の曲の圧縮オーディオデータ並びに次に再生を行う曲の圧縮オーディオデータをそれぞれ書き込むステップと、
次の曲の再生要求が発生した場合に、前記次に再生を行う曲用のメモリ領域から、前記次に再生を行う曲の圧縮オーディオデータを即座に読み出すステップと、
を含むことを特徴とする圧縮オーディオデータ再生装置の曲移行制御方法。
【請求項５】
前記分割したメモリ領域への圧縮オーディオデータの書き込みは、初めに前記再生中の曲の圧縮オーディオデータを一定分量書き込み、その後、前記次に再生を行う曲の圧縮オーディオデータを曲の先頭から所定の分量だけ書き込むことを特徴とする請求項４に記載の圧縮オーディオデータ再生装置の曲移行制御方法。
【請求項６】
前記次の曲の再生要求は、再生中に操作者が次の曲の再生指示を行う場合と、操作者が予め登録した曲を自動的に再生するプログラム再生モードにおいて次の曲に移行する場合と、曲の先頭から一定時間のみの再生を繰り返すイントロ再生モードにおいて次の曲のイントロ再生に移行する場合と、に実行されることを特徴とする請求項４または５に記載の圧縮オーディオデータ再生装置の曲移行制御方法。
【発明の詳細な説明】
【０００１】
【発明の属する技術分野】
本発明は、圧縮オーディオデータ再生装置及び圧縮オーディオデータ再生装置の曲移行制御方法に関する。
【０００２】
【従来の技術】
音楽再生用の記録媒体としてＣＤ−ＲＯＭやコンパクトディスクなどが広く使用されている。これらの記録媒体には、デジタルオーディオデータが圧縮して記録されており、ＣＤプレイヤーやコンパクトディスクプレイヤーなどの圧縮オーディオデータ再生装置で再生を行う。
【０００３】
ところで、上記のような圧縮オーディオデータ再生装置では、再生中の曲を停止して次の曲の再生に移行する（以下、スキップと称する）時や、予め操作者が登録した曲を自動的に再生するプログラム再生モードにおいて、前の曲の再生が終了して次の曲の再生に移行する時、さらには、曲の先頭から一定時間のみの再生を繰り返すイントロ再生モードにおいて、前の曲のイントロ再生が終了して次の曲のイントロ再生に移行する時などに、次の曲が再生されるまでに時間がかかるという問題があった。その理由を図９のフローチャートを用いて説明する。図９は、従来の圧縮オーディオデータ再生装置における曲移行制御方法の流れを示すフローチャートで、ＴＯＣ（Ｔａｂｌｅ　Ｏｆ　Ｃｏｎｔｅｎｔｓ）リード終了後、または再生停止状態から操作者の操作により再生が開始される時の処理の流れを示す。
【０００４】
はじめに、キー入力を検知すると、再生する曲のディスク上のアドレスをＴＯＣから取得し、ピックアップを目的のアドレスまで移動する（ステップＳ２０１）。なお、再生する曲とは、通常再生モードの場合はＴＯＣに記述された最初の曲を、プログラム再生モードやイントロ再生モードの場合は予め設定された曲順の最初の曲を示す。目的のアドレスまでピックアップを移動した後、ディスクに記録された圧縮オーディオデータを読み取り、半導体メモリへの書き込みを開始する（ステップＳ２０２）。同時に、半導体メモリから圧縮オーディオデータを読み出し、伸長しながら音声出力する（ステップＳ２０３）。ステップＳ２０４で、次の曲の再生要求が発生するまで、圧縮オーディオデータの読み込み、半導体メモリへの書き込み、半導体メモリからのデータ読み出し、データの伸長、音声出力を繰り返す。
【０００５】
ステップＳ２０４で、次の曲の再生要求が発生した場合、半導体メモリ内のデータをクリアして音声出力を停止し（ステップＳ２０５）、次に再生する曲のディスク上のアドレスをＴＯＣから取得して、ピックアップを目的のアドレスまで移動する（ステップＳ２０６）。目的のアドレスまでピックアップを移動した後、ディスクに記録された圧縮オーディオデータを読み取り、半導体メモリへの書き込みを開始する（ステップＳ２０７）。同時に、半導体メモリから圧縮オーディオデータを読み出し、伸長しながら音声出力を開始する（ステップＳ２０８）。
【０００６】
以上のように、従来の曲移行制御方法では、次の曲の再生要求が発生した時点で、半導体メモリに蓄積されているデータを一度クリアしてから、次の曲のアドレスをサーチし、該当する圧縮オーディオデータを読み込んでいたため、次の曲が再生されるまでに時間がかかっていた。
【０００７】
なお、特許文献１には、所望曲の選曲演奏を行う場合、所望曲の選曲がなされたところで、ディスクのＴＯＣエリアまたはワークメモリから所望曲の位置情報を読み出し、ディスクの中の所望曲に該当する位置をサーチしたのち、演奏を開始するようにしたディスク演奏方法が開示されている。
【０００８】
【特許文献１】
特許第２９０２２４０号公報
【０００９】
【発明が解決しようとする課題】
したがって、本発明は、このような実情に鑑みてなされたものであり、曲間の待ち時間のないスムーズな曲の再生が可能な圧縮オーディオデータ再生装置及び圧縮オーディオデータ再生装置の曲移行制御方法を提供することを目的とする。
【００１０】
【課題を解決するための手段】
請求項１に記載の圧縮オーディオデータ再生装置は、複数の圧縮オーディオデータが記録されたディスクから読み出した該圧縮オーディオデータを格納するための半導体メモリを備え、前記半導体メモリから前記圧縮オーディオデータを読み出してオーディオの再生を行う圧縮オーディオデータ再生装置において、前記半導体メモリのメモリ領域を、再生中の曲用並びに次に再生を行う曲用に分割し、分割したメモリ領域に、再生中の曲の圧縮オーディオデータ並びに次に再生を行う曲の圧縮オーディオデータをそれぞれ書き込むための書き込み制御手段と、次の曲の再生要求が発生した場合に、前記次に再生を行う曲用のメモリ領域から、前記次に再生を行う曲の圧縮オーディオデータを即座に読み出すための読み出し制御手段と、を備えることを特徴とする。
【００１１】
上記構成によれば、当初は、次の曲の圧縮オーディオデータを読み込むためのピックアップの移動や、半導体メモリへの書き込み処理が不要であるため、次の曲の再生要求を検知してから実際に曲が再生されるまでの待ち時間がなく、スムーズな曲の再生が行える。
【００１２】
請求項２に記載の圧縮オーディオデータ再生装置は、請求項１に記載の圧縮オーディオデータ再生装置において、前記分割したメモリ領域への圧縮オーディオデータの書き込みは、初めに前記再生中の曲の圧縮オーディオデータを一定分量書き込み、その後、前記次に再生を行う曲の圧縮オーディオデータを曲の先頭から所定の分量だけ書き込むことを特徴とする。
【００１３】
上記構成によれば、現在再生中の曲の圧縮オーディオデータをメモリ領域に書き込み、その後、次に再生を行う曲の圧縮オーディオデータの格納が行える。
【００１４】
請求項３に記載の圧縮オーディオデータ再生装置は、請求項１または２に記載の圧縮オーディオデータ再生装置において、前記次の曲の再生要求は、再生中に操作者が次の曲の再生指示を行う場合と、操作者が予め登録した曲を自動的に再生するプログラム再生モードにおいて次の曲に移行する場合と、曲の先頭から一定時間のみの再生を繰り返すイントロ再生モードにおいて次の曲のイントロ再生に移行する場合と、に実行されることを特徴とする。
【００１５】
上記構成によれば、圧縮オーディオデータ再生装置のあらゆる曲移行の動作において、曲間の待ち時間が削減され、スムーズな曲の再生が行える。
【００１６】
請求項４に記載の圧縮オーディオデータ再生装置の曲移行制御方法は、複数の圧縮オーディオデータが記録されたディスクから読み出した該圧縮オーディオデータを格納するための半導体メモリを備え、前記半導体メモリから前記圧縮オーディオデータを読み出してオーディオの再生を行う圧縮オーディオデータ再生装置の曲移行制御方法であって、前記半導体メモリのメモリ領域を、再生中の曲用並びに次に再生を行う曲用に分割し、分割したメモリ領域に、再生中の曲の圧縮オーディオデータ並びに次に再生を行う曲の圧縮オーディオデータをそれぞれ書き込むステップと、次の曲の再生要求が発生した場合に、前記次に再生を行う曲用のメモリ領域から、前記次に再生を行う曲の圧縮オーディオデータを即座に読み出すステップと、を含むことを特徴とする。
【００１７】
上記方法によれば、当初は、次の曲の圧縮オーディオデータを読み込むためのピックアップの移動や、半導体メモリへの書き込み処理が不要であるため、次の曲の再生要求を検知してから実際に曲が再生されるまでの待ち時間がなく、スムーズな曲の再生が行える。
【００１８】
請求項５に記載の圧縮オーディオデータ再生装置の曲移行制御方法は、請求項４に記載の圧縮オーディオデータ再生装置の曲移行制御方法において、前記分割したメモリ領域への圧縮オーディオデータの書き込みは、初めに前記再生中の曲の圧縮オーディオデータを一定分量書き込み、その後、前記次に再生を行う曲の圧縮オーディオデータを曲の先頭から所定の分量だけ書き込むことを特徴とする。
【００１９】
上記方法によれば、現在再生中の曲の圧縮オーディオデータをメモリ領域に書き込み、その後、次に再生を行う曲の圧縮オーディオデータの格納が行える。
【００２０】
請求項６に記載の圧縮オーディオデータ再生装置の曲移行制御方法は、請求項４または５に記載の圧縮オーディオデータ再生装置の曲移行制御方法において、前記次の曲の再生要求は、再生中に操作者が次の曲の再生指示を行う場合と、操作者が予め登録した曲を自動的に再生するプログラム再生モードにおいて次の曲に移行する場合と、曲の先頭から一定時間のみの再生を繰り返すイントロ再生モードにおいて次の曲のイントロ再生に移行する場合と、に実行されることを特徴とする。
【００２１】
上記方法によれば、圧縮オーディオデータ再生装置のあらゆる曲移行の動作において、曲間の待ち時間が削減され、スムーズな曲の再生が行える。
【００２２】
【発明の実施の形態】
以下、本発明の実施の形態における圧縮オーディオデータ再生装置について図面を参照しながら具体的に説明する。
【００２３】
図１は、本発明の実施の形態における圧縮オーディオデータ再生装置の概略構成を示すブロック図である。本発明の実施の形態における圧縮オーディオデータ再生装置は、キー入力部１０、マイクロコンピュータ１１、不揮発性半導体メモリ（ＥＥＰＲＯＭ）１２、システムコントローラ１３、半導体メモリ１４、スピンドルモータ１５、ピックアップ１６、トラバースモータ１７、ＲＦ（高周波）アンプ１８、Ｄ／Ａ（デジタル／アナログ）変換器１９、アンプ２０、スピーカ２１、で構成される。
【００２４】
キー入力部１０は、操作者が圧縮オーディオデータ再生装置に対して各種操作を行うため入力部である。マイクロコンピュータ１１は、圧縮オーディオデータ再生装置全体の制御を行う制御部であり、制御の手順はプログラムの形で不揮発性半導体メモリ１２に保存されており、電源をオフにした状態でも記憶内容が保持される。システムコントローラ１３は、圧縮されたオーディオデータの伸長や、ピックアップ１６を光ディスク２２に追従させるための制御を行う。半導体メモリ１４は、光ディスク２２から読み出された圧縮オーディオデータを格納するためのメモリである。スピンドルモータ１５は、光ディスク２２の回転制御を行い、ピックアップ１６は、光ディスク２２に記録された圧縮オーディオデータの読み取りを行う。トラバースモータ１７は、読み取り動作と同期してピックアップ１６の台を光ディスク２２の半径方向へ移動させる。ＲＦアンプ１８は、ピックアップ１６で読み出したデータ信号を増幅する。読み出された圧縮オーディオデータは、前述の半導体メモリ１４に一旦格納された後、システムコントローラ１３で伸長され、伸長されたオーディオデータは、Ｄ／Ａ変換器１９でアナログ信号に変換される。アナログ信号は、アンプ２０で増幅され、スピーカ２１から音声として出力される。
【００２５】
図２は、本発明の実施の形態における圧縮オーディオデータ再生装置の、曲移行制御方法の流れを示すフローチャートである。
【００２６】
また、図３から図８は、本発明の実施の形態における圧縮オーディオデータ再生装置の、半導体メモリ１４内の圧縮オーディオデータの格納状態を示す概念図である。
【００２７】
まず、図２を用いてＴＯＣリード終了後、または再生停止状態から操作者の操作により再生が開始される時の処理を説明する。はじめに、キー入力を検知すると、再生する曲の光ディスク２２上のアドレスをＴＯＣから取得し、ピックアップ１６を目的のアドレスまで移動する（ステップＳ１０１）。
【００２８】
目的のアドレスまでピックアップ１６を移動した後、光ディスク２２に記録された圧縮オーディオデータを読み出し、半導体メモリ１４に読み出した圧縮オーディオデータを書き込む（ステップＳ１０２）。同時に、半導体メモリ１４から圧縮オーディオデータを読み出し、伸長しながら音声出力する（ステップＳ１０３）。
【００２９】
ここで、図３は、再生開始直後の半導体メモリ１４における圧縮オーディオデータの格納状態を示す図である。次に再生を行う曲の圧縮オーディオデータを予め格納して、次の曲の再生要求が発生した時に即座に再生が開始できるように、半導体メモリ１４のメモリ領域は、再生中の曲用のメモリ領域と次に再生を行う曲用のメモリ領域に分割される。図３のＲ１は、再生中の曲用の圧縮オーディオデータ書き込み領域であり、Ｒ２は、次に再生を行う曲用の圧縮オーディオデータ書き込み領域である。
【００３０】
図３のＰ１は、光ディスク２２から読み出した圧縮オーディオデータを半導体メモリ１４に順次書き込むアドレスである。一方、半導体メモリ１４に書き込まれた圧縮オーディオデータは、順次伸長されて音声出力される。Ｐ２は、伸長のために半導体メモリ１４から圧縮オーディオデータを順次読み出すアドレスである。また、Ａ１は再生中の曲用の圧縮オーディオデータ書き込み領域Ｒ１の先頭アドレス、Ａ２はＲ１の最終アドレス、Ａ３は次に再生を行う曲用の圧縮オーディオデータ書き込み領域Ｒ２の先頭アドレス、Ａ４はＲ２の最終アドレスである。
【００３１】
前述の図２のステップＳ１０２では、再生中の曲の圧縮オーディオデータが半導体メモリ１４のメモリ領域Ｒ１に格納される。同様に、ステップＳ１０３では、既に半導体メモリ１４に書き込まれている圧縮オーディオデータが伸長され、音声が出力される。
【００３２】
図２のフローチャートに戻り、ステップＳ１０４では、半導体メモリ１４のメモリ領域Ｒ１におけるデータ格納状態を判定する。書き込み可能領域が残っている場合はステップＳ１０３に戻り、圧縮オーディオデータがメモリ領域Ｒ１の最終アドレスＡ２に書き込まれるまでデータの書き込みを繰り返す。メモリ領域Ｒ１の全領域に圧縮オーディオデータが書き込まれたかどうかは、メモリ領域Ｒ１の最終アドレスＡ２と、圧縮オーディオデータ書き込みポインタＰ１のアドレスを比較し、Ｐ１＝Ａ２となった時にメモリ領域Ｒ１の全領域に書き込まれたと判定する。
【００３３】
次に、図４に示すように、再生中の曲の圧縮オーディオデータがメモリ領域Ｒ１の最終アドレスＡ２まで書き込まれると、図２のステップＳ１０４で全領域に書き込みが行われたと判定され、ステップＳ１０５へ進み、次に再生する曲の光ディスク２２上のアドレスをＴＯＣから取得し、ピックアップ１６を次に再生する曲の先頭アドレスまで移動する。ここで、次に再生する曲とは、通常再生モードではＴＯＣに記述された次の曲を、プログラム再生モードやイントロ再生モードでは予め設定された曲順の次の曲を示す。目的のアドレスまでピックアップ１６を移動した後、光ディスク２２に記録された圧縮オーディオデータを読み出し、半導体メモリ１４への書き込みを開始する（ステップＳ１０６）。
【００３４】
このステップＳ１０６で読み出される圧縮オーディオデータは、現在再生中の曲ではないため、図５に示すように、次に再生を行う曲用の圧縮オーディオデータ書き込み領域Ｒ２の先頭アドレスＡ３から書き込みが行われる。
【００３５】
次に、ステップＳ１０７では、半導体メモリ１４のメモリ領域Ｒ２におけるデータ格納状態を判定する。メモリ領域Ｒ２に書き込み可能領域が残っている場合はステップＳ１０６に戻り、圧縮オーディオデータがメモリ領域Ｒ２の最終アドレスＡ４に書き込まれるまでデータの書き込みを繰り返す。メモリ領域Ｒ２の全領域に圧縮オーディオデータを書き込まれたかどうかは、メモリ領域Ｒ２の最終アドレスＡ４と、圧縮オーディオデータ書き込みポインタＰ１のアドレスを比較し、Ｐ１＝Ａ４となった時にメモリ領域Ｒ２の全領域に書き込まれたと判定する。
【００３６】
ここで、図６に示すように、次に再生を行う曲の圧縮オーディオデータがメモリ領域Ｒ２の最終アドレスＡ４まで書き込まれると、図２のステップＳ１０７で全領域に書き込みが行われたと判定され、ステップＳ１０８へ進み、再生中の曲の圧縮オーディオデータの続きを、再び半導体メモリ１４のメモリ領域Ｒ１に書き込む。
【００３７】
その際、図７に示すように、再生中の曲用の圧縮オーディオデータ書き込み領域Ｒ１おいて、既に音声出力を終了した領域Ｒ３に対して、続きの圧縮オーディオデータの書き込みが行われる。
【００３８】
図２のフローチャートに戻り、曲の再生中に、次の曲の再生要求が発生すると（ステップＳ１０９）、図８に示すように、圧縮オーディオデータの伸長ポインタＰ２がメモリ領域Ｒ２の先頭アドレスＡ３に移動し、当該アドレスから圧縮オーディオデータの伸長を開始して、次の曲の音声を出力する（ステップＳ１１０）。
【００３９】
次の曲の再生要求が発生した時点で、既に次の曲の圧縮オーディオデータが半導体メモリ１４の領域Ｒ２へ書き込まれているため、当該アドレスのデータに伸長ポインタＰ２を合わせ、そこから伸長を開始すれば、再生要求の検知から即座に次の曲が再生できる。
【００４０】
その後は、ステップＳ１０３以降と同様のステップを繰り返し、圧縮オーディオデータの続き部分が、現在再生中の曲用のメモリ領域であるメモリ領域Ｒ１の先頭アドレスＡ１から書き込まれ、メモリ領域Ｒ２には更に次の曲の圧縮オーディオデータが格納されることになる。
【００４１】
上述した圧縮オーディオデータ再生装置及び圧縮オーディオデータ再生装置の曲移行制御方法によれば、操作者が再生中の曲をスキップさせる場合や、プログラム再生モードやイントロ再生モードで次の曲へ移行する場合などにおいて、瞬時に次の曲を再生することが可能となる。
【００４２】
【発明の効果】
以上説明したように、本発明によれば、次の曲の再生要求が発生した場合に、次に再生を行う曲用のメモリ領域から、次に再生を行う曲の圧縮オーディオデータを即座に読み出すことにより、曲間の待ち時間のないスムーズな曲の再生が可能となる。
【図面の簡単な説明】
【図１】本発明の実施の形態における圧縮オーディオデータ再生装置の概略構成を示すブロック図である。
【図２】本発明の実施の形態における圧縮オーディオデータ再生装置の、曲移行制御方法の流れを示すフローチャートである。
【図３】本発明の実施の形態における圧縮オーディオデータ再生装置の、半導体メモリ内の圧縮オーディオデータの格納状態を示す概念図である。
【図４】本発明の実施の形態における圧縮オーディオデータ再生装置の、半導体メモリ内の圧縮オーディオデータの格納状態を示す概念図である。
【図５】本発明の実施の形態における圧縮オーディオデータ再生装置の、半導体メモリ内の圧縮オーディオデータの格納状態を示す概念図である。
【図６】本発明の実施の形態における圧縮オーディオデータ再生装置の、半導体メモリ内の圧縮オーディオデータの格納状態を示す概念図である。
【図７】本発明の実施の形態における圧縮オーディオデータ再生装置の、半導体メモリ内の圧縮オーディオデータの格納状態を示す概念図である。
【図８】本発明の実施の形態における圧縮オーディオデータ再生装置の、半導体メモリ内の圧縮オーディオデータの格納状態を示す概念図である。
【図９】従来の圧縮オーディオデータ再生装置における曲移行制御方法の流れを示すフローチャートである。
【符号の説明】
１０　キー入力部
１１　マイクロコンピュータ
１２　不揮発性半導体メモリ
１３　システムコントローラ
１４　半導体メモリ
１５　スピンドルモータ
１６　ピックアップ
１７　トラバースモータ
１８　ＲＦアンプ
１９　Ｄ／Ａ変換器
２０　アンプ
２１　スピーカ
２２　光ディスク
【図１】
2004127465.tif 000003
【図２】
2004127465.tif 000004
【図３】
2004127465.tif 000005
【図４】
2004127465.tif 000006
【図５】
2004127465.tif 000007
【図６】
2004127465.tif 000008
【図７】
2004127465.tif 000009
【図８】
2004127465.tif 000010
【図９】
2004127465.tif 000011